(57)【要約】【課題】洗浄ポンプにより洗浄水を加圧して洗浄ノズルより噴射し、食器を洗浄する食器洗い機において、食器洗い機本体の形状を大型化することなく洗浄槽の容積を拡大して、収容可能な食器の量が多くできる食器洗い機を提供する。【解決手段】洗浄槽１５内の貯水部１７と洗浄ポンプ１９との間を吸込経路２５により連通し、洗浄ポンプ１９をモータ２０により駆動して、貯水部１７の洗浄水を洗浄ポンプ１９により加圧し、洗浄ポンプ１９により加圧された洗浄水を回転自在な洗浄ノズル２１により洗浄槽１５内に噴射する。洗浄ポンプ１９のインペラ２２の回転軸２３とモータ２０の回転軸２３を同心として略鉛直方向に構成し、吸込経路２５と洗浄ポンプ１９の接続部２６をインペラ２２の回転軸２３と同心に構成する。【選択図】  図１
2004321525.tif 000002
【特許請求の範囲】
【請求項１】
貯水部を有する洗浄槽と、前記貯水部の洗浄水を加圧する洗浄ポンプと、前記貯水部と洗浄ポンプとの間を連通する吸込経路と、前記洗浄ポンプにより加圧された洗浄水を前記洗浄槽内に噴射する回転自在な洗浄ノズルと、前記洗浄ポンプを駆動するモータとを備え、前記洗浄ポンプのインペラの回転軸と前記モータの回転軸を同心として略鉛直方向に構成し、前記吸込経路と洗浄ポンプの接続部をインペラの回転軸と同心に構成した食器洗い機。
【請求項２】
洗浄槽の底部から下方へ膨出した貯水部の側方で、かつ、洗浄ノズルの回転軌跡と対向する洗浄槽の底部下方に空間部を形成し、前記空間部にモータおよび洗浄ポンプを配設した請求項１記載の食器洗い機。
【請求項３】
接続部のシールをＯリングで構成した請求項１または２記載の食器洗い機。
【請求項４】
接続部のＯリングのハウジングを吸込経路に設けた請求項３記載の食器洗い機。
【請求項５】
接続部のＯリングのハウジングを洗浄ポンプのケーシングに設けた請求項３記載の食器洗い機。
【請求項６】
接続部のＯリングのハウジングを洗浄ポンプのケーシングと吸込経路で構成した請求項３記載の食器洗い機。
【請求項７】
吸込経路と洗浄ポンプのケーシングを一体に構成した請求項１または２記載の食器洗い機。
【発明の詳細な説明】
【０００１】
【発明の属する技術分野】
本発明は、洗浄ポンプにより洗浄水を加圧して洗浄ノズルより噴射し、食器を洗浄する食器洗い機に関するものである。
【０００２】
【従来の技術】
従来、この種の食器洗い機は図６に示すように構成していた、以下、その構成について説明する。
【０００３】
図６に示すように、洗浄槽１は、食器かご２を配置して食器３を洗うもので、底部に給水された水を貯める貯水部４を設け、食器洗い機本体５内に設けている。洗浄ポンプ６は、モータ７により駆動し、貯水された水を加圧して回転自在な洗浄ノズル８より洗浄槽１内に配置した食器かご２に収容した食器３に向けて洗浄水を噴射するようにしている。
【０００４】
給水弁９は洗浄槽１内に給水するものであり、ヒータ１０は洗浄槽１内の洗浄水を加熱して温水化するものであり、フィルタ１１は食器３より除去した残菜、汚れなどを捕捉するものである。制御装置１２はモータ、給水弁９、ヒータなどの動作を制御し、洗浄、すすぎ、乾燥の一連の行程を逐次制御するものである。
【０００５】
洗浄ポンプ６はモータ７の回転軸（図示せず）と同心として略鉛直方向に構成し、吸込経路１３と洗浄ポンプ６の接続部１４はモータ７の回転軸に直交し、洗浄槽１の下方空間に配設している（例えば、特許文献１参照）。
【０００６】
上記構成において動作を説明する。食器かご２に食器３を収容し、食器かご２を洗浄槽１内に配置し、洗剤を投入して運転を開始すると、制御装置１２により給水弁９を開いて水道水を洗浄槽１内へ給水する。所定の水位になると給水を停止し、洗浄ポンプ６を駆動し、貯水部４の洗浄水は洗浄ポンプ６により加圧され、導水路を通して洗浄ノズル８へ圧送され、洗浄ノズル８より洗浄槽１内の食器かご２に収容した食器３に向けて噴射し、洗浄する。
【０００７】
洗浄した後の洗浄水は、再び貯水部４へ戻り、その際、洗浄水はヒータ１０によって加熱され、予め設定されている適度な高温となって洗浄力を高めるとともに、洗浄を行った洗浄水の汚染物は再び貯水部４へ戻る際にフィルタ１１により捕捉し、循環して洗浄を行う際の汚染物の再付着を抑える。洗浄が終わると排水ポンプ（図示せず）によって洗浄槽１内の洗浄水を排水する。
【０００８】
その後、洗浄槽１内に再度給水してすすぎを行い、すすぎが終了するとヒータ１０に通電して乾燥する。
【０００９】
【特許文献１】
特開平９−１３１２９２号公報
【００１０】
【発明が解決しようとする課題】
しかしながら、このような従来の構成では、吸込経路１３と洗浄ポンプ６の接続部１４は、一般的に略円筒形状のジョイント間をホース等でつなぐため、吸込経路１３の流路面積を確保するには、ジョイントの径の高さが必要となり、洗浄槽１内の洗浄可能な空間が狭くなることから、所定の洗浄可能な空間を確保すると洗浄槽１を収容する食器洗い機本体５が大きくなり、狭いスペースへの設置が困難になるという問題があった。
【００１１】
本発明は上記従来の課題を解決するもので、食器洗い機本体の形状を大型化することなく洗浄槽の容積を拡大して、収容可能な食器の量が多くできる食器洗い機を提供することを目的としている。
【００１２】
【課題を解決するための手段】
本発明は上記目的を達成するために、洗浄槽内の貯水部と洗浄ポンプとの間を吸込経路により連通し、洗浄ポンプをモータにより駆動して、貯水部の洗浄水を洗浄ポンプにより加圧し、洗浄ポンプにより加圧された洗浄水を回転自在な洗浄ノズルにより洗浄槽内に噴射するよう構成し、洗浄ポンプのインペラの回転軸とモータの回転軸を同心として略鉛直方向に構成し、吸込経路と洗浄ポンプの接続部をインペラの回転軸と同心に構成したものである。
【００１３】
これにより、食器洗い機本体の形状を大型化することなく洗浄槽の容積を拡大できて、洗浄可能な食器の量を多くすることができ、コンパクトな食器洗い機本体形状で多量の食器を洗浄することができる。
【００１４】
【発明の実施の形態】
本発明の請求項１に記載の発明は、貯水部を有する洗浄槽と、前記貯水部の洗浄水を加圧する洗浄ポンプと、前記貯水部と洗浄ポンプとの間を連通する吸込経路と、前記洗浄ポンプにより加圧された洗浄水を前記洗浄槽内に噴射する回転自在な洗浄ノズルと、前記洗浄ポンプを駆動するモータとを備え、前記洗浄ポンプのインペラの回転軸と前記モータの回転軸を同心として略鉛直方向に構成し、前記吸込経路と洗浄ポンプの接続部をインペラの回転軸と同心に構成したものであり、食器洗い機本体の形状を大型化することなく洗浄槽の容積を拡大できて、収容可能な食器の量を多くすることができ、コンパクトな食器洗い機本体の形状で多量の食器を洗浄することができる。また、洗浄槽を所定の容積に設定した場合は、食器洗い機本体の小型化を促進することができるようになり、狭い場所への設置性を向上することができる。
【００１５】
請求項２に記載の発明は、上記請求項１に記載の発明において、洗浄槽の底部から下方へ膨出した貯水部の側方で、かつ、洗浄ノズルの回転軌跡と対向する洗浄槽の底部下方に空間部を形成し、前記空間部にモータおよび洗浄ポンプを配設したものであり、食器洗い機本体の形状を大型化することなく洗浄槽の容積を拡大できて、収容可能な食器の量を多くすることができ、コンパクトな食器洗い機本体の形状で多量の食器を洗浄することができる。また、洗浄槽を所定の容積に設定した場合は、食器洗い機本体の小型化を促進することができるようになり、狭い場所への設置性を向上することができる。
【００１６】
請求項３に記載の発明は、上記請求項１または２に記載の発明において、接続部のシールをＯリングで構成したものであり、接続部の薄型化が可能となり、食器洗い機本体の形状を大型化することなく洗浄槽の容積を拡大できて、収容可能な食器の量を多くすることができ、コンパクトな食器洗い機本体の形状で多量の食器を洗浄することができる。また、洗浄槽を所定の容積に設定した場合は、食器洗い機本体の小型化を促進することができるようになり、狭い場所への設置性を向上することができる。
【００１７】
請求項４に記載の発明は、上記請求項３に記載の発明において、接続部のＯリングのハウジングを吸込経路に設けたものであり、簡単な構成で接続部を構成することができる。
【００１８】
請求項５に記載の発明は、上記請求項３に記載の発明において、接続部のＯリングのハウジングを洗浄ポンプのケーシングに設けたものであり、上記請求項４に記載の発明と別の構成により簡単な構成で接続部を構成することができる。
【００１９】
請求項６に記載の発明は、上記請求項３に記載の発明において、接続部のＯリングのハウジングを洗浄ポンプのケーシングと吸込経路で構成したものであり、接続部の軸方向のシールのほかに径方向のシールが可能となり、接続部における水密の信頼性を高めることができる。
【００２０】
請求項７に記載の発明は、上記請求項１または２に記載の発明において、吸込経路と洗浄ポンプのケーシングを一体に構成したものであり、接続部が不要となり、接続部の高さ分、洗浄槽の底部を低くすることができ、食器洗い機本体の形状を大型化することなく洗浄槽の容積を拡大して、収容可能な食器の量を多くすることができ、コンパクトな食器洗い機本体の形状で多量の食器を洗浄することができる。また、洗浄槽を所定の容積に設定した場合は、食器洗い機本体の小型化を促進することができるようになり、狭い場所への設置性を向上することができる。
【００２１】
【実施例】
以下、本発明の実施例について、図面を参照しながら説明する。
【００２２】
（実施例１）
図１および図２に示すように、洗浄槽１５は、食器かご１６を配置して食器を洗うもので、底部に給水された水を貯める貯水部１７を設け、食器洗い機本体１８内に設けている。洗浄ポンプ１９は、モータ２０により駆動し、貯水された水を加圧して回転自在な洗浄ノズル２１へ圧送し、洗浄ノズル２１より洗浄槽１５内に配置した食器かご２に収容した食器に向けて洗浄水を噴射するようにしている。
【００２３】
洗浄ポンプ１９内のインペラ２２の回転軸２３と、モータ２０の回転軸２３を同心として略鉛直方向に構成するとともに、洗浄槽１５の底部から下方へ膨出した貯水部１７の側方で、かつ、洗浄ノズル２１の回転軌跡と対向する洗浄槽１５の底部下方に空間部２４を形成し、この空間部２４にモータ２０および洗浄ポンプ１９を配設している。
【００２４】
吸込経路２５は貯水部１７と洗浄ポンプ１９を連通するもので、吸込経路２５の一端はねじ（図示せず）により洗浄ポンプ１９に固定しており、吸込経路２５と洗浄ポンプ１９の接続部２６は、インペラ２２の回転軸２３と同心に構成し、接続部２６のシール構成は、Ｏリング２７で行い、Ｏリング２７を吸込経路２５に形成したハウジング２８に設け、洗浄ポンプ１９のケーシング２９に設けたフランジでＯリング２７を押さえてシールするよう構成している。
【００２５】
ヒータ３０は洗浄槽１５内の洗浄水を加熱して温水化するものであり、フィルタ３１は食器より除去した残菜、汚れなどを捕捉するものである。
【００２６】
上記構成において動作を説明する。食器かご１６に食器を収容し、食器かご１６を洗浄槽１５内に配置し、洗剤を投入して運転を開始すると、給水弁（図示せず）を開いて水道水を洗浄槽１５内へ給水する。所定の水位になると給水を停止し、洗浄ポンプ１９を駆動し、貯水部１７の洗浄水は洗浄ポンプ１９により加圧され、導水路３２を通して洗浄ノズル２１へ圧送され、洗浄ノズル２１より洗浄槽１５内の食器かご１６に収容した食器に向けて噴射し、洗浄する。
【００２７】
洗浄した後の洗浄水は、再び貯水部１７へ戻り、その際、洗浄水はヒータ３０によって加熱され、予め設定されている適度な高温となって洗浄力を高めるとともに、洗浄を行った残菜、汚れなどの洗浄水の汚染物はフィルタ３１により捕捉され、循環して洗浄を行う際の汚染物の再付着を抑えることができる。洗浄が終わると排水ポンプ（図示せず）によって洗浄槽１５内の洗浄水を排水する。
【００２８】
その後、洗浄槽１５内に再度給水してすすぎを行い、すすぎが終了するとヒータ２９に通電して乾燥する。
【００２９】
ここで、洗浄ポンプ１９内のインペラ２２の回転軸２３と、モータ２０の回転軸２３を同心として略鉛直方向に構成するとともに、洗浄槽１５の底部から下方へ膨出した貯水部１７の側方で、かつ、洗浄ノズル２１の回転軌跡と対向する洗浄槽１５の底部下方に空間部２４を形成し、この空間部２４にモータ２０および洗浄ポンプ１９を配設しているので、食器洗い機本体１８の形状を大型化することなく洗浄槽１５の容積を拡大できて、収容可能な食器の量を多くすることができ、コンパクトな食器洗い機本体１８の形状で多量の食器を洗浄することができる。また、洗浄槽１５を所定の容積に設定した場合は、食器洗い機本体１８の小型化を促進することができるようになり、狭い場所への設置性を向上することができる。
【００３０】
また、接続部２６のシールをＯリング２７で構成したので、接続部２６を薄型化することができ、食器洗い機本体１８の形状を大型化することなく洗浄槽１５の容積を拡大できて、収容可能な食器の量を多くすることができ、コンパクトな食器洗い機本体１８の形状で多量の食器を洗浄することができる。
【００３１】
また、接続部２６のＯリング２７のハウジング２８を吸込経路２５に設けたので、簡単な構成で接続部２６を構成することができる。
【００３２】
（実施例２）
図３に示すように、吸込経路２５と洗浄ポンプ１９の接続部２６は、インペラ２２の回転軸２３と同心に構成し、接続部２６のシール構成は、Ｏリング２７で行い、Ｏリング２７のハウジング３３を洗浄ポンプ１９のケーシング２９に設け、吸込経路２５に設けたフランジ３４でＯリング２７を押さえ、シールするよう構成している。他の構成は上記実施例１と同じである。なお、洗浄から乾燥までの基本的な動作は上記実施例１と同じであるので説明を省略する。
【００３３】
このように、吸込経路２５と洗浄ポンプ１９の接続部２６のシール構成は、Ｏリング２７で行い、Ｏリング２７のハウジング３３を洗浄ポンプ１９のケーシング２９に設け、吸込経路２５に設けたフランジ３４でＯリング２７を押さえ、シールするよう構成しているので、接続部２６の薄型化が可能となり、吸込経路２５の底面を含めた洗浄ポンプ１９の高さを抑えることができ、洗浄槽１５内の洗浄可能な空間を確保することができる。
【００３４】
（実施例３）
図４に示すように、吸込経路２５と洗浄ポンプ１９の接続部２６は、インペラ２２の回転軸２３と同心に構成し、接続部２６のシール構成は、Ｏリング２７で行い、Ｏリング２７のハウジング３５を、吸込経路２５、洗浄ポンプ１９のケーシング２９にそれぞれ設けたリブ３６、３７により径方向のシールを行い、吸込経路２５、洗浄ポンプ１９のケーシング２９の面を利用して軸方向のシールをするよう構成している。他の構成は上記実施例１と同じである。なお、洗浄から乾燥までの基本的な動作は上記実施例１と同じであるので説明を省略する。
【００３５】
このように、吸込経路２５と洗浄ポンプ１９の接続部２６のシール構成は、Ｏリング２７で行い、Ｏリング２７のハウジング３５を、吸込経路２５、洗浄ポンプ１９のケーシング２９にそれぞれ設けたリブ３６、３７により径方向のシールを行い、吸込経路２５、洗浄ポンプ１９のケーシング２９の面を利用して軸方向のシールをするよう構成しているので、接続部２６の軸方向のシールのほかに径方向のシールが可能となり、接続部２６における水密の信頼性を高めることができる。
【００３６】
（実施例４）
図５に示すように、吸込経路３８は、貯水部１７と洗浄ポンプ３９を連通するもので、この吸込経路３８と洗浄ポンプ３９のケーシング４０を振動溶着などにより一体に構成している。他の構成は上記実施例１と同じである。なお、洗浄から乾燥までの基本的な動作は上記実施例１と同じであるので説明を省略する。
【００３７】
このように、吸込経路３８と洗浄ポンプ３９のケーシング４０を一体に構成しているので、接続部が不要となり、接続部の高さ分、洗浄槽１５の底部を低くすることができ、食器洗い機本体１８の形状を大型化することなく洗浄槽１５の容積を拡大できて、収容可能な食器の量を多くすることができ、コンパクトな食器洗い機本体１８の形状で多量の食器を洗浄することができる。また、洗浄槽１５を所定の容積に設定した場合は、食器洗い機本体１８の小型化を促進することができるようになり、狭い場所への設置性を向上することができる。
【００３８】
【発明の効果】
以上のように本発明の請求項１に記載の発明によれば、洗浄ポンプをモータにより駆動し、洗浄ポンプのインペラの回転軸とモータの回転軸を同心として略鉛直方向に構成し、吸込経路と洗浄ポンプの接続部をインペラの回転軸と同心に構成したから、食器洗い機本体の形状を大型化することなく洗浄槽の容積を拡大できて、洗浄可能な食器の量を多くすることができ、コンパクトな食器洗い機本体形状で多量の食器を洗浄することができる。
【図面の簡単な説明】
【図１】本発明の第１の実施例の食器洗い機の断面図
【図２】同食器洗い機の要部拡大断面図
【図３】本発明の第２の実施例の食器洗い機の要部断面図
【図４】本発明の第３の実施例の食器洗い機の要部断面図
【図５】本発明の第４の実施例の食器洗い機の要部断面図
【図６】従来の食器洗い機の断面図
【符号の説明】
１５  洗浄槽
１７  貯水部
１９  洗浄ポンプ
２０  モータ
２１  洗浄ノズル
２２  インペラ
２３  回転軸
２５  吸込経路
２６  接続部
【図１】
2004321525.tif 000003
【図２】
2004321525.tif 000004
【図３】
2004321525.tif 000005
【図４】
2004321525.tif 000006
【図５】
2004321525.tif 000007
【図６】
2004321525.tif 000008